(57)【要約】  プラズマディスプレイパネル(1,2,3)は、第１の表示電極(X,Xb)と、第２の表示電極(Y,Yb)とアドレス電極(A,Ab)と平面視格子状の隔壁(23)とを備える。隔壁(23)は、複数の垂直壁部(24)と、第１の表示電極(X,Xb)と部分的に重なる複数の第１水平壁部(25)と、第２の表示電極(Y,Yb)と部分的に重なる複数の第２水平壁部(26)とから構成される。プラズマディスプレイパネル(1,2,3)において、隔壁(23)と第１の表示電極(X,Xb)との間に複数のセル(51)の放電ガス空間(31)と通じる隙間(32,33)が存在し、第１水平壁部(25)と面放電ギャップ(60)との平面視距離(D1)よりも第２水平壁部(26)と面放電ギャップ(60)との平面視距離(D2)が長い。
2007141856.tif 000002
【特許請求の範囲】
【請求項１】
等間隔に表示ラインが設定され且つ放電によって発光するセルからなる画面と、放電ガス空間を挟んで対向する第１および第２の基板と、前記第１の基板上に配列されて前記表示ラインに沿った第１方向に延びる第１および第２の表示電極と、前記第２の基板に配列されて前記第１方向と交差する第２方向に延びるアドレス電極と、前記第２の基板に固着して前記放電ガス空間を前記画面のセル配列に合わせて区画する平面視格子状の隔壁とを備え、前記表示ラインのそれぞれに１本の第１の表示電極と１本の第２の表示電極とが対応し且つこれら一対の表示電極が当該表示ラインに対応するセルのそれぞれで面放電ギャップを形成し、さらに隣接する表示ラインでは第１の表示電極と第２の表示電極の前記第２方向の位置関係が反対であるプラズマディスプレイパネルであって、
前記隔壁は、前記第２方向に沿って延びて前記第１および第２の表示電極と交差する複数の垂直壁部と、前記第１方向に沿って延びて前記第１および第２の表示電極のうちの前記第１の表示電極のみと部分的に重なる複数の第１水平壁部と、前記第１方向に沿って延びて前記第１および第２の表示電極のうちの前記第２の表示電極のみと部分的に重なる複数の第２水平壁部とから構成され、
前記複数の第１水平壁部のそれぞれの前記第２方向の幅が前記複数の第２水平壁部のそれぞれの前記第２方向の幅よりも大きく、
前記隔壁と前記第１の表示電極との間に複数のセルの放電ガス空間と通じる隙間が存在し、
前記画面のセルのそれぞれにおいて、第１水平壁部と面放電ギャップとの平面視距離よりも第２水平壁部と面放電ギャップとの平面視距離が長い
ことを特徴とするプラズマディスプレイパネル。
【請求項２】
前記複数の第１の表示電極のそれぞれが１本の表示ラインのみに対応し、且つ前記複数の第２の表示電極のそれぞれが１本の表示ラインのみに対応する
請求項１に記載のプラズマディスプレイパネル。
【請求項３】
前記複数の第１の表示電極のそれぞれが隣接する２本の表示ラインに対応し、且つ前記複数の第２の表示電極のそれぞれが隣接する２本の表示ラインに対応する
請求項１に記載のプラズマディスプレイパネル。
【請求項４】
前記第１水平壁部は、前記第１方向に延びる複数の水平壁からなる
請求項１に記載のプラズマディスプレイパネル。
【請求項５】
前記複数のアドレス電極における前記第２の表示電極と交差する部分の幅が、前記第１の表示電極と交差する部分の幅よりも大きい
請求項１に記載のプラズマディスプレイパネル。
【発明の詳細な説明】
【技術分野】
【０００１】
本発明は、放電ガス空間を画面のセル配列に合わせて区画し、セルのそれぞれに対応した放電ガス空間を囲む平面視格子状の隔壁を備えた面放電型のプラズマディスプレイパネルに関する。
【背景技術】
【０００２】
カラー映像の表示に３電極面放電型のプラズマディスプレイパネルが用いられている。ここでいう３電極面放電型は、前面板または背面板に表示放電を生じさせるための第１および第２の表示電極を平行に配列し、電極マトリクスを構成するためにアドレス電極を表示電極と交差するように背面板または前面板の上に配列する形式である。この形式では、表示電極とアドレス電極とが放電ガス空間を介して対向する。【０００３】
表示に際しては、画面にマトリクス配列されたセルのうちの点灯すべきセルのみに適量の壁電荷を形成する線順次走査形式のデータ書込み動作（アドレッシング）が行われ、その後に壁電荷を利用して表示データの階調値に応じた回数の表示放電を生じさせる点灯維持動作（サステイン）が行われる。アドレッシングでは第２の表示電極が表示ライン選択のためのスキャン電極として用いられ、アドレス電極が表示データを出力するデータ電極として用いられる。サステインでは、第１および第２の表示電極が面放電の陽極および陰極として用いられる。【０００４】
面放電に係る表示電極の配列には２つの形態がある。便宜的に一方を単独型、他方を共用型と呼称する。単独型は、マトリクス表示の行に対応する表示ラインごとに一対ずつ表示電極を配列するものである。表示電極の総数は垂直解像度（表示ライン数）の２倍となる。単独型では、各表示ラインが制御の上で独立しているので比較的に簡単な駆動シーケンスによってプログレッシブ表示を実現することができる。共用型は、表示ライン数に１を加えた本数の表示電極を等間隔に配列する形態である。共用型では、隣り合う表示電極どうしが面放電のための電極対を構成し、全ての表示電極間隙が面放電ギャップとなる。共用型の画面の利用率は単独型のそれよりも高い。【０００５】
単独型および共用型のどちらであっても、平行な表示電極の電極間で放電を起こすので、少なくとも表示電極に沿って並ぶセル間の放電干渉を防止する隔壁（放電障壁）が必要である。すなわち、マトリクス表示の列ごとに放電ガス空間を区画する複数の帯状の隔壁が必須である。このような隔壁の配置パターンはストライプパターンと呼ばれる。ストライプパターンは画面の垂直方向に延びる垂直壁のみからなるパターンである。【０００６】
他の隔壁の配置パターンとしてメッシュパターン（閉鎖型パターンともいう）がある。メッシュパターンは、マトリクス表示の列ごとにかつ行ごとに（つまりセルごとに）放電ガス空間を区画するパターンである。メッシュパターンの隔壁は画面の垂直方向に延びる垂直壁部と水平方向に延びる水平壁部とから構成され、画面の全体にわたる。これによれば、各セルの放電ガス空間の四方が囲まれ、水平方向の放電干渉だけでなく垂直方向の放電干渉も防止される。メッシュパターンは、単独型電極配列の画面の高精細化（垂直解像度の向上）に有用であり、また共用型電極配列の画面によるプログレッシブ表示にも適している。【０００７】
特開２００２−８３５４５号公報は、単独型の表示電極配列をもつ前面板とメッシュパターンの隔壁をもつ背面板とからなるプラズマディスプレイパネル、および共用型の表示電極配列をもつ前面板とメッシュパターンの隔壁をもつ背面板とからなるプラズマディスプレイパネルを開示している。開示された単独型の表示電極配列においては、隣接する表示ラインで第１の表示電極と第２の表示電極の垂直方向の位置関係が反対であり、透明導電膜と金属膜（バス導体）とからなる第１の表示電極のそれぞれおよび同様の第２の表示電極のそれぞれが、隔壁のうちの水平壁部と部分的に重なる。その重なる部分に金属膜が配置され、それによって金属膜が表示光を遮光しない構成となっている。共用型では各表示電極が隣接する２本の表示ラインに対応するので、必然的に表示電極は隔壁のうちの水平壁部と部分的に重なる。【０００８】
また、上記特開２００２−８３５４５号公報では、隔壁材料の熱収縮率がパターン幅に依存することを利用して、水平壁部を垂直壁部よりも低く形成する技術が開示されている。水平壁部の上面が前面板と当接した状態において、垂直壁部と前面板との間に隙間が存在する。この隙間はプラズマディスプレイパネルの製造における排気およびガス充填の通気性を良好にする。
【特許文献１】特開２００２−８３５４５号公報
【発明の開示】
【０００９】
プラズマディスプレイパネルの製造においては、前面板と背面板とを貼り合せた後に行う内部空間の清浄化の排気効率が、画面の電気的な特性に大きく影響する。排気コンダクタンスが低いために不純物除去が不十分であると、カラー表示のための蛍光体の劣化による輝度の低下や放電開始電圧の変動、および放電開始電圧の変化量のばらつきに起因する表示むらが起き易い。
【００１０】
画面の中央部では周辺部と比べて排気コンダクタンスが小さいので、今後の画面の大型化および高精細化に伴い、ますます不純物の排出が困難になると考えられる。したがって、排気効率を上げることが、高品位で高品質なプラズマディスプレイパネルを実現させる上で重要である。特に、メッシュパターンの隔壁をもつボックスリブ構造のプラズマディスプレイパネルでは、ストライプパターンの隔壁配列をもつストレートリブ構造のプラズマディスプレイパネルよりも排気コンダクタンスが小さいので、排気経路を確保するための工夫が必要不可欠である。
【００１１】
一方、ボックスリブ構造のプラズマディスプレイパネルにおいては、水平壁部が存在するので、アドレス電極に対向するスキャン電極（第２の表示電極）のアドレス放電に寄与する有効対向面積が、ストレートリブ構造のプラズマディスプレイパネルと比べて小さい。有効対向面積が小さいほど、アドレス放電の放電確率が小さく、アドレス放電ミスが起こり易い。図９は有効対向面積と点灯アドレス電圧との関係を示す。点灯アドレス電圧とは、スキャン電極とアドレス電極との間に印加するアドレス電圧を徐々に上げていき、正常にアドレス放電が生じたときの電圧である。図９の例では、有効対向面積が約２５０００μｍ2以下になると急激に点灯アドレス電圧が上昇している。これは有効対向面積が２５０００μｍ2以下の場合には、十分に高いアドレス電圧を印加しなければアドレス放電ミスが起こることを意味する。
【００１２】
製造過程での基板の収縮や前面板と背面板との微妙な位置ずれが不可避であるので、セル間における有効対向面積のばらつきが生じる。ばらつきによる駆動電圧マージンへの影響を低減するには、寸法の限られたセルにおいてできるだけ有効対向面積を大きくすることが望ましい。
【００１３】
本発明は、製造における排気の効率化とアドレス放電ミスの低減に有用な改良されたボックスリブ構造をもつプラズマディスプレイパネルの提供を目的としている。
【００１４】
上記目的を達成するプラズマディスプレイパネルは、等間隔に表示ラインが設定され且つ放電によって発光するセルからなる画面と、放電ガス空間を挟んで対向する第１および第２の基板と、前記第１の基板上に配列されて前記表示ラインに沿った第１方向に延びる第１および第２の表示電極と、前記第２の基板に配列されて前記第１方向と交差する第２方向に延びるアドレス電極と、前記第２の基板に固着して前記放電ガス空間を前記画面のセル配列に合わせて区画する平面視格子状の隔壁とを備え、前記表示ラインのそれぞれに１本の第１の表示電極と１本の第２の表示電極とが対応し且つこれら一対の表示電極が当該表示ラインに対応するセルのそれぞれで面放電ギャップを形成し、さらに隣接する表示ラインでは第１の表示電極と第２の表示電極の前記第２方向の位置関係が反対であるプラズマディスプレイパネルである。前記隔壁は、前記第２方向に沿って延びて前記第１および第２の表示電極と交差する複数の垂直壁部と、前記第１方向に沿って延びて前記第１および第２の表示電極のうちの前記第１の表示電極のみと部分的に重なる複数の第１水平壁部と、前記第１方向に沿って延びて前記第１および第２の表示電極のうちの前記第２の表示電極のみと部分的に重なる複数の第２水平壁部とから構成される。当該プラズマディスプレイパネルにおいて、前記複数の第１水平壁部のそれぞれの前記第２方向の幅が前記複数の第２水平壁部のそれぞれの前記第２方向の幅よりも大きく、前記隔壁と前記第１の表示電極との間に複数のセルの放電ガス空間と通じる隙間が存在し、前記画面のセルのそれぞれにおいて、第１水平壁部と面放電ギャップとの平面視距離よりも第２水平壁部と面放電ギャップとの平面視距離が長い。
【００１５】
表示電極の配列は単独型でも共用型でもよい。単独型の場合は、前記複数の第１の表示電極のそれぞれが１本の表示ラインのみに対応し、且つ前記複数の第２の表示電極のそれぞれが１本の表示ラインのみに対応する。共用型の場合は、前記複数の第１の表示電極のそれぞれが隣接する２本の表示ラインに対応し、且つ前記複数の第２の表示電極のそれぞれが隣接する２本の表示ラインに対応する。
【００１６】
第２水平壁部の幅を小さくすることによって、第２の表示電極におけるアドレス電極と対向する部分の面積が大きくなる。第２水平壁部の幅よりも第１水平壁部の幅を大きくすることにより、上記特許文献に記載された隔壁材料の熱収縮特性を利用する技術によって、複数のセルの放電ガス空間と通じる隙間を得ることができる。
【図面の簡単な説明】
【００１７】
【図１】プラズマディスプレイパネルの全体構成を示す正面図である。
【図２】典型的な画面の色配列を示す図である。
【図３】プラズマディスプレイパネルのセル構造を示す分解斜視図である。
【図４】隔壁の形状およびアドレス電極の形状を示す図である。
【図５】表示電極の形状および表示電極と隔壁との位置関係を示す図である。
【図６】プラズマディスプレイパネルの要部断面構造の模式図である。
【図７】表示電極の形状および配列の変形例を示す図である。
【図８】アドレス電極の形状の変形例を示す図である。
【図９】有効対向面積と点灯アドレス電圧との関係を示す図である。
【発明を実施するための最良の形態】
【００１８】
プラズマディスプレイパネルは、図１のように前面板１０、背面板２０、および図示しない放電ガスによって構成され、マトリクス配置された多数のセル（発光素子）からなる画面５０を有する。例えば、画面サイズが対角４２インチである場合、プラズマディスプレイパネルはおよそ９９４ｍｍ×５８５ｍｍの大きさをもつ。前面板１０および背面板２０はともに画面５０よりも大きい厚さ３ｍｍ程度のガラス基板に電極を含む複数の層が固着した部材である。前面板１０および背面板２０は重ね合わせるように対向配置され、互いに重なり合う領域の周辺部に配置された枠状の封着材３５によって接合されている。前面板１０と背面板２０と封着材３５とで密封された内部空間に放電ガスが封入されている。【００１９】
図２のように画面５０には等間隔に表示ラインＬが設定されている。各表示ラインＬはマトリクス表示の１行に対応し、画面５０の水平方向（第１方向）に延びる。各表示ラインＬに沿って、赤色発光素子であるセル５１、緑色発光素子であるセル５２、および青色発光素子であるセル５３が並ぶ。画面５０における色配列は、マトリクス表示の１列に対応する垂直方向（第２方向）に並んだセルの発光色が同一で、隣り合う列と発光色が異なるストライプ配列である。水平方向に沿って並ぶ３個のセルが画像の１画素に対応する。【００２０】
画面５０は図３に示されるセル構造をもつ。図３では内部構造を解り易くするために前面板１０と背面板２０とを分離させて描いてある。【００２１】
前面板１０は、ガラス基板１１、第１の表示電極Ｘ、第２の表示電極Ｙ、誘電体層１７、および保護膜１８を備える。背面板２０は、ガラス基板２１、アドレス電極Ａ、誘電体層２２、隔壁２３、赤（Ｒ）の蛍光体２７、緑（Ｇ）の蛍光体２８、および青（Ｂ）の蛍光体２９を備える。【００２２】
表示電極Ｘおよび表示電極Ｙは、面放電を生じさせるための電極としてガラス基板１１の内面に配列されている。これら電極のそれぞれは、パターニングされた透明導電膜１２および金属膜１３からなり、水平方向に延びる。誘電体層１７は画面の全体にわたって拡がり、表示電極Ｘ，Ｙを被覆する。保護膜１８は誘電体層１７に対するスパッタリングを防ぐ。【００２３】
アドレス電極Ａは、画面の垂直方向（第２方向）に延び、表示電極Ｘおよび表示電極Ｙと交差する。アドレス電極Ａを被覆する誘電体層２２の上に形成された隔壁２３は、セル間の放電干渉を防ぐとともに、放電ガス空間の厚さを画面内で均等にするスペーサとしても機能する。蛍光体２７，２８，２９は、対応するセル内で誘電体層２２の表面と隔壁２３の側面とを覆い、放電ガスが放つ紫外線によって励起されて発光する。【００２４】
プラズマディスプレイパネル１における特徴的構成要素は隔壁２３である。図４をも参照して、隔壁２３は、画面の垂直方向に沿って延びて表示電極Ｘおよび表示電極Ｙと交差する複数の垂直壁部２４と、水平方向に沿って延びて表示電極Ｘおよび表示電極Ｙのうちの表示電極Ｘのみと部分的に重なる複数の第１水平壁部２５と、水平方向に沿って延びて表示電極Ｘおよび表示電極Ｙのうちの表示電極Ｙのみと部分的に重なる複数の第２水平壁部２６とから構成される。さらに本例では、複数の第１水平壁部２５のそれぞれが水平方向に延びる水平壁２５１とそれに平行な水平壁２５２とからなる。放電ガスの誘電率が隔壁材料である低融点ガラスの約１／８であることから、水平壁２５１と水平壁２５２との間の空隙はセルの静電容量の低減に寄与する。図４のように、第１水平壁部２５の垂直方向の幅Ｗ１は、第２水平壁部２６の垂直方向の幅Ｗ２よりも大きい。【００２５】
図３によく示されるように、第１水平壁部２５は、垂直壁部２４および第２水平壁部２５よりも低い。高低差は例えば１０μｍ程度である。これによってボックスリブ構造でありながら画面内に水平方向に延びる排気経路が形成される。なお、図では第１水平壁部２５の全体が垂直壁部２４および第２水平壁部２６よりも低いが、これに限らない。第１水平壁部２５のうちの垂直壁部２４に近い部分のみが低い構造であっても、水平方向に延びる排気経路は形成される。【００２６】
このような隔壁２３は低融点ガラスの焼成によって形成され、垂直壁部２４と第１水平壁部２５と第２水平壁部２６とが一括に同時に形成される。一般的な低融点ガラスのように熱収縮性をもつ材料の焼成においては、高さ方向の収縮量がパターン幅に依存する。パターン幅が小さい部分では全体的に幅方向と高さ方向の２方向に収縮することが可能であるのに対して、パターン幅が大きい部分では、幅方向の中央に近いほど幅方向の収縮が抑制され、その抑制分だけ高さ方向に大きく収縮する。したがって、太い第１水平壁部２５の方が、例示のように２本の水平壁からなる場合であっても、細い第２水平壁部２６よりも低くなる。【００２７】
本例では、幅の太い第１水平壁部２５は２本の水平壁２５１，２５２からなっているが、これに限らない。本発明の主旨に沿っていれば、第１水平壁部２５は幅の太い１本の水平壁でもよいし、３本以上の水平壁からなっていてもよい。【００２８】
図５のとおり、プラズマディスプレイパネル１の表示電極配列は単独型である。表示ラインＬのそれぞれに１本の表示電極Ｘと１本の表示電極Ｙとが対応し、且つこれら一対の表示電極Ｘ，Ｙが当該表示ラインＬに対応する複数のセル５１のそれぞれで面放電ギャップ６０を形成する。ただし、各表示ラインＬとそれに隣接する他の表示ラインＬとの間では、表示電極Ｘと表示電極Ｙの垂直方向（図の上下方向）の位置関係が反対である。すなわち、互いに隣接する表示ラインＬの一方では図の上から下へ向かってＸ，Ｙの順に表示電極が並び、他方ではＹ，Ｘの順に表示電極が並ぶ。【００２９】
表示電極Ｘの透明導電膜１２は、図示が省略された金属膜１３（図３、図６参照）が積層される給電部１２１、給電部１２１と平行な帯状の放電部１２２、および給電部１２１と放電部１２２とを繋ぐ複数の連結部１２３とで構成される。連結部１２３は全てのセル５１に１つずつ配置されている。給電部１２１が水平壁２５２または水平壁２５１と重なる。【００３０】
同様に表示電極Ｙの透明導電膜１２は、図示が省略された金属膜１３が積層される給電部１２１、給電部１２１と平行な帯状の放電部１２２、および給電部１２１と放電部１２２とを繋ぐ複数の連結部１２３とで構成される。給電部１２１が第２水平壁部２６と重なる。【００３１】
図６は図５中のａ−ａ矢視に対応する断面構造を示している。ただし、蛍光体の図示が省略されている。【００３２】
上述のとおり、第１水平壁部２５が隔壁２３におけ他の部分よりも低いので、第１の表示電極Ｘと第１水平壁部２５との間に複数のセルの放電ガス空間３１と通じる隙間３２，３３が存在する。この隙間３２，３３が排気経路の一部となる。【００３３】
また、個々のセル５１において、第１水平壁部２５と面放電ギャップ６０との平面視距離Ｄ１よりも第２水平壁部２６と面放電ギャップ６０との平面視距離Ｄ２が長い。すなわち、表示電極Ｘの放電部とアドレス電極Ａとの対向面積よりも、スキャン電極として用いる表示電極Ｙの放電部とアドレス電極Ａとの対向面積（有効対向面積）が大きい。したがって、平面視距離Ｄ２が平面視距離Ｄ１と同じである場合と比べて、セル５１ではアドレス放電ミスが起こりにくい。【００３４】
図７は表示電極の形状および配列の変形例を示す。図７のプラズマディスプレイパネル２における表示電極配列は共用型である。表示電極Ｘｂと表示電極Ｙｂとにおいて形状よび積層構成は同一である。表示電極Ｘｂおよび表示電極Ｙｂのそれぞれが、透明導電膜１２ｂと金属膜１３ｂとからなる。表示電極Ｘｂの金属膜１３ｂは、第１水平壁部２５を構成する水平壁２５１，２５２の双方と重なる。表示電極Ｙｂの金属膜１３ｂは、第２水平壁部２６と重なる。【００３５】
図８はアドレス電極の形状の変形例を示す。図８のプラズマディスプレイパネル３において、アドレス電極Ａｂは、アドレス放電にかかる有効対向面積を大きくするために、部分的に幅の大きい帯状に形成されている。すなわち、アドレス電極Ａｂはアドレス放電のためのパッド（膨大化部）を有する。アドレス電極Ａｂにおける表示電極Ｙｂと交差する部分の幅Ｗ４が、表示電極Ｘｂと交差する部分の幅Ｗ３よりも大きい。図示の共用型に限らず単独型であっても、パッドを第２水平壁部２６の垂直方向の中央に対して対称となるよう配置するのが望ましい。【００３６】
以上の実施形態において、電極および隔壁の形状は本発明の主旨に沿って適宜変更することができる。透明導電膜１２，１２ｂは、表示ラインＬの全長にわたる帯状に限らず、セルごとに独立した島状（四角形、Ｔ字状、Ｉ字状を含む）であってもよい。隔壁２３の高さおよびパターン幅はセルサイズに応じて選定すればよい。
【産業上の利用可能性】
【００３７】
本発明は、プラズマディスプレイパネルの性能の向上に貢献する。
【図１】
2007141856.tif 000003
【図２】
2007141856.tif 000004
【図３】
2007141856.tif 000005
【図４】
2007141856.tif 000006
【図５】
2007141856.tif 000007
【図６】
2007141856.tif 000008
【図７】
2007141856.tif 000009
【図８】
2007141856.tif 000010
【図９】
2007141856.tif 000011
【国際調査報告】
2007141856.tif 000012
2007141856.tif 000013
2007141856.tif 000014
2007141856.tif 000015